(57)【要約】  本発明は、平行な第１と第２の縁の間を延びているガイド（９）を有している第１部品（７）と、ガイド内を延びており、ガイドに沿って移動可能で、ガイドを横切る方向に沿って所与の幅を持つピン（１３）を有している第２部品（８）と、ピンをロックする装置（１６）とを有している筆記具の機構に関する。ロック装置が、第１の縁で２つの端部の間に延びている凹部と、凹部とは反対に、凹部の第１の端部と一体の少なくとも１つの第１基部から、ガイド内に第２の縁からピンの幅未満の距離の所に配置された頂上まで延びており、ピンの通過中は凹部に向けて押し戻すことが可能な弾性部材とを有している。本発明は、前述の機構を有している筆記具にも関する。
2007522974.tif 000002
【特許請求の範囲】
【請求項１】
実質的に平行な第１と第２の縁（１１、１２）の間に延びているガイド（９）を有している第１要素（７）と、
前記ガイドの中に延びているとともに、前記ガイドに沿って移動可能で、前記ガイドを横切る方向に沿って所与の幅を持つピン（１３）を有している第２要素（８）と、
前記ピン用の少なくとも１つのロック装置（１５、１６）と、
を有し、
前記ロック装置は、
前記第１の縁（１１）で第１と第２の端部（１７ａ、１７ｂ）の間に延びている凹部（１７）と、
前記凹部とは反対に、前記凹部の前記第１の端部と一体の少なくとも１つの第１の基部（１９）から、前記ガイド内に前記第２の縁から前記ピンの幅未満の距離の所に配置された頂上（２１）まで延びており、前記ピンの通過中は前記凹部に向けて押し戻すことが可能な弾性部材（１８）と、を有していることを特徴とする筆記具用機構。
【請求項２】
前記弾性部材の前記基部（１９）は前記第１の縁（１１）の延長部分に延びている、請求項１に記載の機構。
【請求項３】
前記弾性部材（１８）は前記凹部の前記第２の端部（１７）と一体の第２の基部（２０）を有している、請求項１または２に記載の機構。
【請求項４】
前記弾性部材（１８）は中間Ｕ字状部分（２２）を有しており、該Ｕ字状の分岐部の両端部はそれぞれ前記第１と第２の基部（１９、２０）と一体であって、前記弾性部材の前記頂上（２１）はＵ字の底部によって構成されている、請求項３に記載の機構。
【請求項５】
前記第１の基部（１９）は前記第２の基部（２０）よりも実質的に長い、請求項３または４に記載の機構。
【請求項６】
前記ガイド（９）は、前記第１と第２の縁（１１、１２）の間に延びている少なくとも１つの端部停止部（２５；２６）を有しており、前記ロック装置（１５；１６）は前記ピン（１３）が前記端部停止部に押し付けられたときに前記弾性部材（１８）が前記ピン（１３）に接触するのに適した前記停止部からの距離に配置されている、請求項１から５のいずれか１項に記載の機構。
【請求項７】
前記第１要素（７）と前記ロック装置（１５；１６）とは成型によって得られた１つのプラスチック部品から構成されている、請求項１から６のいずれか１項に記載の機構。
【請求項８】
開口を備えた前端を有している筒状本体（３、４）と、前記本体内に配置される保管位置と前記開口を通過している筆記位置との間を移動可能な筆記ポイント（６）と、該筆記ポイントの一方の位置から他方の位置への通行を制御する請求項１から７のいずれか１項に記載の機構と、を有した筆記具。
【請求項９】
前記本体は筒状の第１部品（３）と、前記第１部品に対して回転するように取り付けられている筒状の第２部品（４）とを有し、前記機構の前記第１要素（７）は前記第１部品（３）によって回転駆動され、前記機構の前記第２要素（８）は前記第２部品（４）に対して直線移動可能で、前記機構のガイド（９）は螺旋状である、請求項８に記載の筆記具。
【請求項１０】
前記螺旋状のガイド（９）は、前記開口に対する近傍端部停止部（２５）と、遠方端部停止部（２６）と、前記近傍端部の近くに配置されている第１ロック装置（１５）と、前記遠方端部の近くに配置されている第２ロック装置（１６）とを有している、請求項９に記載の筆記具。
【請求項１１】
前記筆記ポイントに結合されている移動部材（８）が前記機構の前記第２要素を構成し、前記本体の第１部品（３）は前記機構の前記第１要素（７）を構成し、前記第２部品（４）は、前記移動部材（８）と協同していて、該移動部材の直動を案内するのに適しているハウジング（３１）を有している、請求項９または１０に記載の筆記具。
【発明の詳細な説明】
【技術分野】
【０００１】
本発明は、特に筆記具を対象とした機構に関する。
【０００２】
本発明は特に、
−実質的に平行な第１と第２の縁の間を延びているガイドを有している第１要素と、
−ガイド内に延びており、ガイドに沿って移動可能で、ガイドを横切る方向に沿って所与の幅を持つピンを有している第２要素と、
−ピン用の少なくとも１つのロック装置と、
を有した機構に関する。
【背景技術】
【０００３】
多くの筆記具は、最も多くの場合ボールポイントである筆記ポイントを、伸長させたり格納させたりする機構を有している。これらの機構では、ガイド、別名カムチャネルは、溝または隙間の形状に作られている。
【０００４】
ガイドは、本体の複数の部品のうちの１つの回転運動を筆記具の長さ方向の軸線に沿った筆記ポイントの直動運動に変換するために、フランス特許出願公開明細書Ａ−２  ８０９  ６７１に記載されているような螺旋状であってもよい。
【発明の開示】
【発明が解決しようとする課題】
【０００５】
筆記ポイントを伸長した位置および／または格納した位置にロックするために、機構の第２要素からのピンが係合するエルボまたはノッチを構成することが知られている。しかし、たとえばペンが短い距離を落下したときや筆記ポイントを強く押し過ぎたときに、ピンはこのハウジングから一般にかなり容易に外れてしまうことがある。これらの機構では、ハウジング内のピンの自由な動きのために、遊びが不快な感じを与えることもある。この遊びの感じを減少させるために、第２要素上のバネによって作用する圧力によってピンをハウジングの底へ押し付けたままにすることが知られている。しかし、バネを使用すると、ロックされる位置に到達するように作用させる力が増大する。さらに、この場合、伸長した位置にある筆記ポイントをロックするのに必要な力は、格納した位置にある筆記ポイントをロックするのに必要な力よりも一般的に大きい。
【０００６】
他の種類の筆記具では、ガイドは一般的に長さ方向に沿って延び、それから機構は押しボタンによって制御される。
【０００７】
後者の機構については、ガイドは、ボタンに作用する２つの動作の間でピンが捕らえられているハート形のチャネル内に端部があってもよい。しかし、螺旋状のガイド機構の場合について説明した短所に加えて、ボタンに作用する動作ごとに機構のロックとロック解除が常に実現するとは限らない。
【０００８】
これらの短所を合わせると、筆記具を使用する快適性全体に悪影響がある。
【課題を解決するための手段】
【０００９】
本発明の目的は、可能なら製造コストを上昇させることなく、少なくとも１つの位置で確実に且つ快適にロックとロック解除が可能な機構を提案することによって前述の短所を緩和することである。
【００１０】
この目的のために、本発明の１つの対象は、ロック装置が、ガイドの第１の縁で第１と第２の端部の間に延びている凹部と、凹部とは反対に、凹部の第１の端部と一体の少なくとも１つの第１基部から、ガイド内に第２の縁からピンの幅未満の距離の所に配置された頂上まで延びており、ピンの通過中は凹部に向けて押し戻すことが可能な弾性部材とを有していること、を特徴とする前述の種類の機構である。
【００１１】
ロック装置の一方の側から他方の側までの第２要素のピンの配置に必要な力は、弾性部材の復元力とその外形に依存する。その結果、この部材の外形がいったん定まると、ロックする力は、ロック装置が筆記ポイントの伸長した位置で使用されても筆記ポイントの格納した位置で使用されても一定であり、また、著しく異なる外形を持つペンについても同様である。
【００１２】
凹部によって、ピンの通過中に弾性部材を引っ込めることができ、その結果このピンの幅をガイドの幅と非常に近くすることができ、これによって、遊びが制限され、快適性が改善される。
【００１３】
本発明の好ましい実施態様では、以下の構成のうちの１つおよび／または他がさらに従属されてもよい。
−弾性部材の基部は、ロック装置の領域でピンの遊びの可能性を減少させるために、第１の縁の延長部分の中へ延びている。
−弾性部材は、ピン移動方向にかかわらずピンの引っかかりを避けるように、凹部の第２の端部と一体の第２基部を有している。
−弾性部材は中間Ｕ字状部分を有しており、Ｕ字状の分岐部の両端部はそれぞれ第１と第２の基部と一体であって、弾性部材の頂上はＵ字の底部によって構成されている。
−ロック解除の力がロックの力とは異なるように、第１基部の長さは第２基部の長さとは実質的に異なる。
−ガイドは、第１と第２の縁の間に延びている少なくとも１つの端部停止部を有しており、ロック装置は、端部停止部と弾性部材との間でピンを動かないようにするために、ピンが前記端部停止部に押し付けられたときに弾性部材がピンに接触するのに適した停止部からの距離に配置されている。
−第１要素とロック装置は、製造コストを低減するために、成型によって得られた１つのプラスチック部品から構成されている。
【００１４】
本発明は、開口を備えている前端を有した筒状本体と、本体内に配置される保管位置と開口を通過している筆記位置との間を移動可能な筆記ポイントと、筆記ポイントの一方の位置から他方の位置への通過を制御する前述の機構と、を有した筆記具にも関する。
【００１５】
本発明の筆記具の好ましい実施態様では、以下の構成のうちの１つまたはその他がさらに使用可能である。
−本体は筒状の第１部品と、第１部品に関連して回転するように取り付けられている筒状の第２部品とを有し、本体の一方の部品の、他方の部品に関連した回転を筆記ポイントの伸長または格納の動きに変換するように、機構の第１要素は前記第１部品によって回転駆動され、機構の第２要素は前記第２部品に対して直線移動可能で、機構のガイドは螺旋状である。
−螺旋状のガイドは、開口に対応する近傍端部停止部と、遠方端部停止部と、近傍端部の近くに配置されている第１ロック装置と、遠方端部の近くに配置されている第２ロック装置とを有しており、そのためロックは機構の第１と第２の要素の助けによってのみ実現される。
−部品の数を減少させる目的で、筆記ポイントに結合されている移動部材が機構の第２要素を構成し、本体の第１部品は機構の第１要素を構成し、第２部品は、移動部材と協同していて、移動部材の直動を案内するのに適しているハウジングを有している。
【００１６】
復元力、そして端部停止部に対応した位置にある弾性部材のために、ほとんどの公知の機構と異なり、移動部材を長さ方向に押すバネを不要にすることが完全に可能である。
【００１７】
本発明のその他の特徴と利点は、添付の図面を参照して非限定的な例として示す以下の説明で明らかになろう。
【発明を実施するための最良の形態】
【００１８】
さまざまな図において、同じ参照番号は継続して同じまたは同様な構成要素を示している。
【００１９】
図１では、引っ込められるボールペン形式の筆記具１の分解図が示されている。
【００２０】
ペンは、開口を備えている前側先端２と、ペンの前部を構成している第１部品３と、後部を構成している第２部品４とを含む外側本体を有している。
【００２１】
ボールポイント６を有しているカートリッジ５が前側先端２の開口を通って滑るように取り付けられている。
【００２２】
図２からよりよく分かるように、カートリッジ５は移動部材８に、この移動部材の穴の中へカートリッジの後端を嵌めることによって接続されている。
【００２３】
移動部材８は、筆記ポイント６が本体の外側に延びている筆記位置と、ポイント６が本体内に配置されている保管位置との間をペンの長さ方向の軸線Ｘに沿って移動することができる。この移動の制御を以下により詳細に説明する。
【００２４】
本体の第１部品３は、その後部に縮小した直径を持ち、ペンが組み立てられるときに筒状の第２部品４の内側に入る部分７を有している。
【００２５】
後部７は、筆記ポイント６の伸長と格納を可能にする機構の第１要素を構成している。この第１要素７は、螺旋状の線に沿って互いに平行に延びている第１縁１１と第２縁１２とによって横に境界を定めているガイド９を有している。
【００２６】
移動部材８は、ピン１３を有している機構の第２要素に相当している。ピン１３はガイド９内に延びており、ガイド９に沿って摺動可能である。
【００２７】
図示の実施形態では、第１要素７は筒状で、ガイド９はこの要素を貫通している螺旋状の隙間を構成している。しかし、ガイド９を螺旋状の溝とすることもできる。
【００２８】
移動部材８は、第１要素７内に入るのに適した直径を持つ円筒形の外側表面と、この外側の円筒形表面に対して半径方向に延びているピン１３とを有している。ただし、移動部材８はその前端部に、ピンをガイド９に挿入するのを容易にするノッチ１４を有している。
【００２９】
図３からよりよく分かるように、第１要素７は第１と第２のロック装置（１５、１６）を有している。
【００３０】
ロック装置１５はガイドの第１縁１１で第１端部１７ａと第２端部１７ｂとの間に延びている凹部１７を有している。図示の実施形態では、凹部１７は、第１要素７の壁を横切っている長穴の形状を有しているが、特にガイド９が溝によって形成されている場合は、単なる空洞とすることができる。
【００３１】
ロック装置１５は凹部１７にわたって延びているさらに弾性部材１８を有している。その弾性部材は、第１端部１７ａと一体の第１基部１９と、第２端部１７ｂと一体の第２基部２０と、Ｕ字型の中間部分２２の底部により作られた頂上２１とを有し、Ｕ字型の中間部分２２の分岐している両端部が第１と第２の基部（１９、２０）と一体となっている。
【００３２】
頂上２１は、ガイド９内に、第２の縁１２からピンの幅未満でなければならない距離に配置されており、この距離はガイド９内の、両縁（１１、１２）に概ね垂直な軸線に沿って計測されている。
【００３３】
したがって、ピン１３がガイド９内を摺動するときには、ピン１３は、ピンの移動に対して抵抗を発生する弾性部材からなる中間部分２２に接触する。それから、使用者は、ピンによって中間部分２２に作用する圧力が弾性部材１８の弾性復元力よりも大きくなるように、第２要素８を駆動する制御部材に作用させる力を大きくすることができる。それから、弾性部材１８は、寸法が頂上２１を引っ込ませるのに適していなければならない凹部１７内に押し戻される。もちろん、弾性部材は、ピンの通過後にその位置に戻る。
【００３４】
したがって、弾性部材の中間部分２２は、それを越えるためには所定の力が必要な、ガイド９に沿ったロック点を構成する。ただし、この力は、主に弾性部材１８の形状とピン１３の外形に依存しているが、たとえば多かれ少なかれ圧縮される可能性のあるばねなどの、ペンの他の部分には影響されない。
【００３５】
図示の実施形態では、第１と第２の基部（１９、２０）と中間部分２２とは、凹部の上方にブリッジを構成しているが、中間部分２２は第１縁１１にだけ第１基部１９などの１つの基部によって接続されており、中間部分２２は第２端部１７ｂの領域にまでずっと延びていることが考えられる。
【００３６】
しかし、ブリッジ形状の構造は、弾性部材１８を凹部の中へ押し戻すのに必要な力をより正確に制御するとともに、弾性部材がガイド９の案内の邪魔になり、それがロック点の横断を防止することを可能にしている。
【００３７】
ただし、ピンが滑らかに滑ることができる連続した表面を構成するように第１と第２の基部（１９、２０）は第１縁１１の延長部分に延びている。
【００３８】
ガイド９は、両停止部、つまり長さ方向で筆記ポイント６の側に位置している近傍停止部２５と、遠方停止部と呼ばれる対向する停止部２６とによって両端部で閉じている。ピン１３を一点鎖線で象徴的に示している図３から分かるように、弾性部材１８の中間部分２２は、ピン１３が停止部２５に押し付けられたときに弾性部材１８がピン１３に接触するように端部停止部２５からある距離に位置している。したがって、第２要素のピン１３が第１要素７によって遊びがないように固定されるロック位置が得られる。
【００３９】
しかし、この固定は、弾性部材１８とピン１３との間の接触点と、移動部材８と本体の第２部品４の一部で作られている停止部との間の接触点とによって得られることが考えられる。
【００４０】
第１基部１９は、第１基部１９の弾性がより大きくなるように、第１縁１１の延長部分に第２基部２０よりも長い距離を延びている。この対策によって、ピン１３を図３に示した位置に移動させるために必要な力がこの位置に維持するために必要な力よりも小さくなるように、中間部分２２から第１基部１９への位置の変更が容易になる。言い換えれば、機構のロックは機構のロック解除よりも簡単で、これによって使用の快適性を減少させることなくロックの信頼性が高まる。しかし、両ロック装置の一方または他方に対して逆の構成を採用することもできる。
【００４１】
第２のロック装置１６は、第１のロック装置１５と同一の構成を有しており、遠方端部停止部２６に関して同様に配置されている。この第２ロック装置をより詳細に説明することはしないが、第１ロック装置１５が筆記ポイント６を伸長した位置に固定したのに対して、第２ロック装置によって筆記ポイント６を格納位置に固定することができる。
【００４２】
第１と第２のロック装置（１５、１６）とガイド９とを有している機構の第１要素７は、本体の第１部品３と合わせて一つの部品として構成されている。この部品は、適切な弾性を有している任意の公知のプラスチックで作ってもよい。最低コストで大量生産を実現するために、機構の第１要素と本体の第１部品を構成している部品はプラスチックを金型に射出することによって作られる。
【００４３】
前述の機構は、伸長／格納が本体の第１部品を本体の１つまたは２つ以上の他の部品に対して回転させることによって制御される筆記具の製造に特によく役立つ。
【００４４】
この効果のために、図示の実施形態では、本体の第２部品４が第１部分３の後部７に対して約１８０度の角度範囲の間中を回転できるように、第１部品３の後部７上に係合している。
【００４５】
後部７上に形成されている２つの周辺リブ２８が、長さ方向の軸線Ｘに沿った一切の相対移動を防止するように第２部品４の内側表面に形成されている対応する２つの溝に係合している。
【００４６】
移動部材８は、たとえば対向している平坦な面を有している非円筒状断面の後端部３０を有している。後部４は、長さ方向の軸に沿って延びており、後端部３０が長さ方向の軸線Ｘに沿って後部４の中へ摺動できるように、大部分の断面が後端部３０の断面に一致しているハウジング３１を有している。
【００４７】
ポイント６を伸長位置から格納位置へ、またその逆に変更するには、使用者は本体の第１部品３と第２部品４とで約半回転の回転を生じさせる。第２部品４によって回転する移動部材８は、ピン１３のガイド９との連動によって、前方移動または後方移動を行う。機構が伸長位置または格納位置に近づくと、使用者は、ペンが筆記位置または保管位置に固定されたことを教える堅い地点を通過する。
【００４８】
これらの位置の一方または他方にいったん到達すると、筆記ポイントは固定され、そして第１と第２部品（３、４）の間にロック装置１５または１６の復元力を越えるのに十分なトルクが作用したときのみ、筆記ポイントを保管位置または伸長位置から離脱させることができる。
【００４９】
ただし、移動要素８と弾性ロックの積極的な案内があるため、長さ方向に沿ってカートリッジを押圧するばねを備える必要はない。
【００５０】
さらに、機構の第１要素７は、本体の第１部品３との一体部品であるため、ペンを作り上げる部品の数が減少する。図示の実施形態では、これらの部品は合計５つであるが、先端２を第１部品３と一体にし、移動部材８をカートリッジ５と一体に構成することによって、ペンを３つの部品だけで作ることが考えられるであろう。
【００５１】
その結果、前述の実施形態は、組み立て作業の数が限定される特に低コストの筆記具を実現することができる。
【００５２】
しかし、もちろん第１と第２要素（７、８）を本体を構成している部品３と４とは別体として、複数のスリーブなどの追加部品の仲介によって本体に接続することもできる。
【００５３】
当業者にとっては、移動部材８と、ガイド９を備えている後部７とを有している機構は、筆記具の分野では、筆記ポイントの伸長と格納だけでなく、他の部材の動きの制御にも使用可能なことは明らかであろう。たとえば、そのような機構を使用することによって、消しゴムの移動、芯を前進させる装置、または、筆記ポイントと本体の開口を閉じる部材との組み合わされた動きまでも制御することができる。
【図面の簡単な説明】
【００５４】
【図１】本発明によって実装された機構を有している筆記具の分解図である。
【図２】図１に示している筆記具の簡略化された断面図である。
【図３】図１に示している筆記具の要素の部分拡大図である。
【図１】
2007522974.tif 000003
【図２】
2007522974.tif 000004
【図３】
2007522974.tif 000005
【国際調査報告】
2007522974.tif 000006
2007522974.tif 000007
2007522974.tif 000008
2007522974.tif 000009